(57)【要約】      （修正有）【課題】二段式のオープンで蒸気の噴出を防げる構造の蓋セットと保温容器を提供する。【解決手段】蓋セットは、蓋うけ１と蓋２を含み、蓋うけ１と蓋２の後側には、互いにヒンジで連結し、蓋うけ１と蓋２との間でその両者を開けるスプリングを設ける。蓋うけ１の正面には、押しボタン３と押しボタンのスプリング４を設ける。蓋２は、第一止部５と第二止部６を設ける。押しボタン３は、それぞれ第一止部５と第二止部６にロックされた第一止爪７と第二止爪８を設ける。蓋うけ１は、蓋２と閉じ合う時、第一止爪７は、第一止部５にロックし、蓋うけ１と蓋２は、所定の角度であける時、第二止爪８は、第二係止部６にロックする。二段式のオープン構造を採用し、蓋をあける時に、蒸気の噴出を防げるため、使用者の使用中のやけどを避ける。 【選択図】図１
0003190239.tif 000002
【実用新案登録請求の範囲】
【請求項１】
二段式のオープンで蒸気の噴出を防げる構造の蓋セットに関し；
前記蓋セットは、蓋うけ１と蓋２を含み、
前記蓋うけ１と前記蓋２の後側には、互いにヒンジで連結し、前記蓋うけ１と前記蓋２との間でその両者を開けるスプリングを設け、前記蓋うけ１の正面には、押しボタン３と押しボタンのスプリング４を設け、
前記蓋２は、第一止部５と第二止部６を設け、前記押しボタン３は、それぞれ前記第一止部５と前記第二止部６にロックされた第一止爪７と第二止爪８を設け、前記蓋うけ１は、前記蓋２と閉じ合う時、前記第一止爪７は、前記第一止部５にロックし、前記蓋うけ１と前記蓋２は、所定の角度であける時、前記第二止爪８は、前記第二止部６にロックすることを特徴とする、蓋セット。
【請求項２】
前記蓋２は、溝口が下へ向く止部の溝９を設け、前記蓋うけ１は、前記蓋２としめる時、前記押しボタン３の上端は、前記止部の溝９に伸び入れ、前記止部の溝９の二つの溝の縁は、溝内へ延伸し、第一止部５と第二止部６を形成することを特徴とする請求項１に記載の二段式のオープンで蒸気の噴出を防げる構造の蓋セット。
【請求項３】
前記第一止部５は、前記第二止部６に対して、より前記止部の溝９の底部に近づくことを特徴とする請求項２に記載の二段式のオープンで蒸気の噴出を防げる構造の蓋セット。
【請求項４】
前記第一止爪７と前記第二止爪８は、それぞれ前記押しボタン３上端の両側で設けることを特徴とする請求項２または請求項３に記載の二段式のオープンで蒸気の噴出を防げる構造の蓋セット。
【請求項５】
前記第一止爪７は、前記第二止爪８に対して、より前記押しボタン３の下部に近づくことを特徴とする請求項４に記載の二段式のオープンで蒸気の噴出を防げる構造の蓋セット。
【請求項６】
前記押しボタン３の中部は、前記蓋うけ１の側部とヒンジで連結し、前記押しボタンのスプリング４は、前記蓋うけ１と前記押しボタン３の下部との間で設けられることを特徴とする請求項４に記載の二段式のオープンで蒸気の噴出を防げる構造の蓋セット。
【請求項７】
前記押しボタン３と前記蓋うけ１とのヒンジ連結線は、前記蓋うけ１の外周とコンタクトし、前記止部の溝９の方向は、前記ヒンジ連結線と平行であり、前記第一止爪７と前記第二止爪８は、それぞれ前記押しボタン３上端の内側と外側に位置することを特徴とする請求項６に記載の二段式のオープンで蒸気の噴出を防げる構造の蓋セット。
【請求項８】
請求項１〜７のいずれかに記載の二段式のオープンで蒸気の噴出を防げる構造の蓋セットを含む保温容器であって、前記保温容器は、容器本体を含む保温容器。
【考案の詳細な説明】
【技術分野】
【０００１】
本考案は、生活器具に関し、特に、二段式のオープン（蓋の２段階での開放を意味する）で蒸気の噴出を防げる構造の蓋セットとその蓋セットを有する保温容器に関する。
【背景技術】
【０００２】
現有技術の魔法瓶は、容器本体と前記容器本体の口部に設置された蓋セットを含み、前記蓋セットが、前記容器本体の口部に取り付けられている時、魔法瓶の内部は、密閉空間になる。前記蓋セットは、普通に前記容器本体にとりつけされており、前記蓋セットと押してロックでき、押しボタンをプッシュし、ロックを解除して蓋セットを開ける。しかしながら、押しボタンを押して、直接蓋を開けている時、前記蓋は、完全にあけている状態となっており、その結果、お湯を入れた状態の保温容器の蓋を開けている時、多くの蒸気は、前記保温容器から上へ噴出されて来て、使用者は、使用中にやけどの恐れがある。そのため、使用者の安全性に影響がある。
【０００３】
上述した内容の目的は、以下の説明及び/或いは本考案に関連するすべての技術を紹介しており、上述した内容は、当業者に背景情報を提供するのに役立つと信じる。更に、本考案に関わる技術について各観点から容易に理解しうるものと解する。
【考案の概要】
【考案が解決しようとする課題】
【０００４】
本考案の目的は、従来技術の欠点を回避することであって、二段式のオープンで蒸気の噴出を防げる構造の蓋セットを提供し、蓋セットをあける時、蒸気が、上へ噴出されることを防止でき、使用中にやけどを避けられる保温容器を提供することである。
【課題を解決するための手段】
【０００５】
本考案の目的は、以下の技術方案によって実現する。
【０００６】
二段式のオープンで蒸気の噴出を防げる構造の蓋セットを提供し、前記蓋セットは、蓋うけと蓋を含み、前記蓋うけと前記蓋の後側には、互いにヒンジで連結し、前記蓋うけと前記蓋との間でその両者を開けるスプリングを設け、前記蓋うけの正面に、押しボタンと押しボタンのスプリングを設け、前記蓋は、第一止部と第二止部を設け、前記押しボタンは、それぞれ前記第一止部と前記第二止部にロックされた第一止爪と第二止爪を設け、前記蓋うけは、前記蓋と閉じ合う時、前記第一止爪は、前記第一止部にロックし、前記蓋うけと前記蓋は、所定の角度であける時、前記第二止爪は、前記第二止部にロックする、というものである。
【０００７】
前記蓋は、溝口が下へ向く止部の溝を設け、前記蓋うけは、前記蓋をしめる時、前記押しボタンの上端は、前記止部の溝に伸び入れられ、前記止部の溝の二つの溝の縁は、溝内へ延伸して、第一止部と第二止部を形成する。
【０００８】
前記第一止部は、前記第二止部に対して、さらに前記止部の溝の底部に近づくことが可能である。
【０００９】
前記第一止爪と前記第二止爪は、それぞれ前記押しボタン上端の両側に設ける。
【００１０】
前記第一止爪は、前記第二止爪に対して、さらに前記押しボタンの下部に近づくことが可能である。
【００１１】
前記押しボタンの中部は、前記蓋うけの側部とヒンジで連結し、前記押しボタンのスプリングは、前記蓋うけと前記押しボタンの下部との間で設けられる。
【００１２】
前記押しボタンと前記蓋うけとのヒンジ連結線は、前記蓋うけの外周とコンタクトし、前記止部の溝の方向は、前記ヒンジ連結線と平行であり、前記第一止爪と前記第二止爪は、それぞれ前記押しボタン上端の内側と外側に位置する。
【００１３】
本考案の有益効果は、上述した結構を採用したためにえられる。本考案の蓋セットの蓋には、前記第一止部と前記第二止部を設け、前記押しボタンには、それぞれ前記第一止部と前記第二止部にロックされた第一止爪と第二止爪を設け、前記蓋うけは、前記蓋としめる時、前記第一止爪は、前記第一止部にロックし、前記蓋うけと前記蓋は、所定の角度で開く時、前記第二止爪は、前記第二止部にロックする。押しボタンを押して蓋を開ける時、第一止爪は、第一止部からロックを解除し、蓋は、スプリングの効果で、所定の角度を開け、その時、前記第二止爪は、前記第二止部にロックしているため、蓋が引き続き開けるのを制限され、その時、蓋うけと蓋との間でギャップがすこし開いて止とまる。保温容器の内部蒸気は、そのギャップから噴出されるため、多くの蒸気が上へ向き噴出されて来ることを防ぎ、使用者に使用中にやけどをさせることを避ける。蒸気は、噴出された後、押しボタンから指を解放し、第二止爪は、第二止部からロックを解除し、そして、蓋は、完全に開けられる。本考案は、二段式のオープンで蒸気の噴出を防げる構造の蓋セットを採用し、使用中にやけどを避けて、使用者にとって便利で安全に使用できる。
【００１４】
本考案は、また保温容器も提供し、前記保温容器は、容器本体を含み、前記保温本体の口部は、上述した蓋セットを設けている。
【００１５】
上述した蓋セットは、上述した有益な効果を有しており、保温容器は、上述した蓋セットを採用しているため、かなりの有益な効果を持っているので、繰り返しての詳述は避ける。
【考案を実施するための形態】
【００１６】
本考案に関わる当業者に更に本考案に関わる技術を理解可能にするために、以下、図面に基づき実施例について本考案を詳説する。また、互いに内容が衝突していない場合、本考案の各実施例は、他の実施例の特徴と互いに組合わせることが可能である。
【００１７】
本考案の核心は、二段式のオープンで蒸気の噴出を防げる構造の蓋セットを提供し、蓋をあける時、蒸気が、上へ噴出されることを防止でき、それによって、使用中にやけどを避けられる、という点にある。
【００１８】
図１に示すように、本考案に関わる二段式のオープンで蒸気の噴出を防げる構造の蓋セットは、蓋うけ１と蓋２を含み、前記蓋うけ１と前記蓋２の後側に、互いにヒンジで連結する。前記蓋うけ１と前記蓋２との間にその両者を開けるスプリング（図に示さず）を設置する。前記蓋うけ１の正面に、押しボタン３と押しボタンのスプリング４を設ける。前記蓋２は、第一止部５と第二止部６を設け、前記押しボタン３は、それぞれ前記第一止部５と前記第二止部６にロックされた第一止爪７と第二止爪８を設けており、前記蓋うけ１は、前記蓋２と閉じ合う時、前記第一止爪７は、前記第一止部５にロックして、前記蓋うけ１と前記蓋２は、所定の角度であける時、前記第二止爪８は、前記第二止部６にロックする。押しボタン３を押して蓋セットを開ける時、第一止爪７は、第一止部５からロックを解除し、蓋２は、スプリングの効果で、所定の角度を開け、その時、前記第二止爪８は、前記第二止部６にロックしているため、蓋２が引き続き開けるのを制限され、押しボタン３から指を放し、第二止爪８は、第二止部６からロックを解除し、そして、蓋２は、完全に開けられる。
【００１９】
好ましい態様の一つは、前記蓋２は、溝口が下へ向く止部の溝９を設け、前記蓋うけ１は、前記蓋２としめる時、前記押しボタン３の上端は、前記止部の溝９に伸び入れ、前記止部の溝９の二つの溝の縁は、溝内へ延伸し、第一止部５と第二止部６を形成する。前記第一止部５は、前記第二止部６に対して、もっと前記止部の溝９の底部に近づく。それによって、前記第一係止爪７と第二係止爪８との高度が同じな場合の前提で、前記蓋うけ１は、前記蓋２としめる時、前記第一係止爪７は、前記第一係止部５にロックし、しかし前記第二止爪８は、前記第二止部６にロックしていない。
【００２０】
好ましい態様の一つは、前記第一止爪７と前記第二止爪８は、それぞれ前記押しボタン３上端の両側で設ける。前記第一止爪７は、前記第二止爪８に対して、もっと前記押しボタン３の下部に近づく。それによって、前記第一止部５と前記第二止部６との高度が同じな場合の前提で、前記蓋うけ１は、前記蓋２としめる時、前記第一止爪７は、前記第一止部５にロックし、しかし前記第二止爪８は、前記第二止部６にロックしていない。
【００２１】
好ましい態様の一つは、前記押しボタン３の中部は、前記蓋うけ１の側部とヒンジで連結し、前記押しボタン３と前記蓋うけ１とのヒンジ連結線は、前記蓋うけ１の外周とコンタクトし、前記止部の溝９の方向は、前記ヒンジ連結線と平行であり、前記第一係止爪７と前記第二止爪８は、それぞれ前記押しボタン３上端の内側と外側に位置し、前記押しボタンのスプリング４は、前記蓋うけ１と前記押しボタン３の下部との間に設けられる。前記押しボタン３を押し解除した時、前記押しボタンのスプリング４は、前記押しボタン３の上端を前記蓋うけ１から遠ざける。
【００２２】
図２〜図５に示すように、本考案を使用する時、押しボタンを押して蓋セットを開け、第一止爪は、第一止部からロックを解除し（図２に示すよう）、蓋は、スプリングの効果で、所定の角度を開け、その時、第二止爪は、第二止部にロックし（図３に示すよう）、蓋２が引き続き開けるのを制限され、それによって、蓋うけと蓋との間でギャップをすこし開き、保温容器内部の蒸気は、そのギャップから噴出されるため、多くの蒸気が上へ向き噴出されて来ることを防ぎ、使用者に使用中にやけどをさせることを避ける。蒸気は、噴出された後、押しボタンから指を放し、第二止爪は、第二止部からロックを解除し、そして、蓋は、完全に開けられる（図４に示すよう）。本考案は、二段式のオープンで蒸気の噴出を防げる構造の蓋セットを採用し、使用中にやけどを避けて、使用者にとって便利で安全に使用できる。
【００２３】
本考案は、また保温容器も提供し、前記保温容器は、容器本体を含み、前記保温本体の口部は、上述した蓋セットを設けている。
【００２４】
上述した蓋セットは、上述した有益な効果を有しており、保温容器は、上述した蓋体を採用しているため、かなりの有益な効果を持っているはずであり、それによって、ここに繰り返して詳述することを避ける。
【００２５】
充分に、本考案を理解するために、上述したのは、いろいろな具体的の内容を詳述した。しかしながら、本考案は、また、ここに説明したのと異なる他の方式で実施できるため、それが、本考案の保護範囲に限定することと理解されるべきではない。
【００２６】
結論として、本考案は、上述した好ましい実施形態を例示したが、これは本願考案の範囲を限定するためのものではなく、本考案に関わる当業者が、いろいろな変化と変更を行っても、変化と変更した結果が、本考案の範囲から逸脱することがない限り、本考案の申請の範疇であるものと見なす。
【符号の説明】
【００２７】
１  蓋うけ
２  蓋
３  押しボタン
４  押しボタンのスプリング
５  第一止部
６  第二止部
７  第一止爪
８  第二止爪
９  止部の溝
【００２８】
図面を利用して、さらに本考案を説明する。しかしながら、図面にあるの実施例は、本考案のいずれかの制限を構成するものではない。本技術領域に関わる一般の当業者にとって、創造性労働を作らない前提で、下記の図面を基づき、他の図面を取得できる。
【図面の簡単な説明】
【００２９】
【図１】二段式のオープンで蒸気の噴出を防げる構造の蓋セットを示す断面図である。
【図２】二段式のオープンで蒸気の噴出を防げる構造の蓋セットを開ける時のステップ１を示す図である。
【図３】二段式のオープンで蒸気の噴出を防げる構造の蓋セットを開ける時のステップ２を示す図である。
【図４】二段式のオープンで蒸気の噴出を防げる構造の蓋セットを開ける時のステップ３を示す図である。
【図５】二段式のオープンで蒸気の噴出を防げる構造の蓋セットを開ける時のステップ４を示す図である。
【図１】
0003190239.tif 000003
【図２】
0003190239.tif 000004
【図３】
0003190239.tif 000005
【図４】
0003190239.tif 000006
【図５】
0003190239.tif 000007